(57)【要約】      （修正有）【課題】停電した際に、自動的に明かりが灯る懐中電灯の構造を提供する。【解決手段】主に充電器１０及び懐中電灯２０で構成する。該充電器の設置位置に充電用差込み口１１を設置し、該充電器の片側に壁のコンセントに差し込む第一プラグ１２を設ける。該懐中電灯の内部に一つの充電電池２１及び停電照明回路２２を設置し、該充電電池は停電照明回路と電気接続する。該懐中電灯は該充電器の充電差込み口に向けた一端に第二プラグ２３を設置し、該第二プラグは該充電差込み口に差し込む。操作が簡単である上、停電した際、懐中電灯が自動的に明かりを灯すため、安全で実用的である。【選択図】図１
0003169747.tif 000002
【実用新案登録請求の範囲】
【請求項１】
充電器及び懐中電灯を含み、
該充電器の設置位置に充電用差込み口を設置し、該充電器の片側に壁のコンセントに差し込む第一プラグを設置し、
該懐中電灯の内部に一つの充電電池及び停電照明回路を設置し、該充電電池は停電照明回路と電気接続し、
該懐中電灯は該充電器の充電差込み口に向けた一端に第二プラグを設置し、該第二プラグは該充電差込み口に差し込むことを特徴とする懐中電灯の構造。
【請求項２】
前記充電器の底面に一つの拡張ソケットを設けることを特徴とする請求項１記載の懐中電灯の構造。
【請求項３】
前記拡張ソケットの設置場所に一つのテストボタンを設けることを特徴とする請求項１記載の懐中電灯の構造。
【請求項４】
前記充電器はＵ字形の形状を成すことを特徴とする請求項１記載の懐中電灯の構造。
【考案の詳細な説明】
【技術分野】
【０００１】
本考案は懐中電灯の構造に関し、特に停電した際に、自動的に明かりが灯る懐中電灯の構造に関する。
【背景技術】
【０００２】
通常停電する際、暗闇の中で、素早く照明用の懐中電灯を見つけるのは難しく、探している過程で、往々にして危険が潜んでいるため、従来技術の緊急照明ライトの製品が案出されている。しかし、それらのライトのデザインは重く、また、壁に高く設置していることが多いため、台風や地震による停電の際、移動するのは難しい上、住宅用には適さず、公共の場での使用に適用するのを鑑みて、住宅用に更なる改善が必要であった。
【先行技術文献】
【特許文献】
【０００３】
【特許文献１】特開２００４−３１３１５号公報
【考案の概要】
【考案が解決しようとする課題】
【０００４】
本考案の第１の目的は、停電した際、懐中電灯が自動的に明かりを灯す安全で実用的な懐中電灯の構造を提供することにある。
本考案の第２の目的は、操作が簡単且つ持ち運びができる懐中電灯の構造を提供することにある。
【課題を解決するための手段】
【０００５】
上述の目的を解決するために、本考案は懐中電灯の構造を提供するものである。それに含まれるのは充電器、懐中電灯である。該充電器の設置位置に充電用差込み口を設置し、該充電器の片側に壁のコンセントに差し込む第一プラグを設置する。
【０００６】
該懐中電灯の内部に一つの充電電池及び停電照明回路を設置し、該充電電池は停電照明回路と電気接続する。該懐中電灯は該充電器の充電差込み口に向けた一端に第二プラグを設置し、該第二プラグは該充電差込み口に差し込む。
【０００７】
該充電器の底面に一つの拡張ソケットを設ける。
【０００８】
該拡張ソケットの設置場所に一つのテストボタンを設ける。
【０００９】
該充電器はＵ字形の形状を成す。
【００１０】
本考案による懐中電灯の構造を明確に示すために図に沿って詳細な説明を行う。
【考案の効果】
【００１１】
懐中電灯に充電電池を設置し、常時、壁のコンセントに差し込むと、懐中電灯を充電することができ、スタンバイ状態とする。本考案は更に充電電池と電気接続する停電照明回路を設けているため、停電した際、懐中電灯内部にある停電照明回路が開いて電流が流れ、懐中電灯が明かりを灯す。電力が回復すると、懐中電灯は再び充電状態に戻る。本考案の拡張ソケットに一つのテストボタンを設置しており、本考案の懐中電灯が正常に作動するのかをテストすることができる。
【図面の簡単な説明】
【００１２】
【図１】本考案の立体分解略図である。
【図２】本考案の立体組立略図である(一)
【図３】本考案の立体組立略図である(二)
【図４】本考案の実施例における充電状態の略図である(一)。
【図５】本考案の実施例における充電状態の略図である(二)。
【図６】本考案の懐中電灯を取り出して使用する略図である。
【図７】本考案の懐中電灯のテストボタンの略図である。
【考案を実施するための形態】
【００１３】
図１から図７に示すのは、本考案の懐中電灯の構造である。それに含まれるのは充電器１０、懐中電灯２０である。
【００１４】
該充電器１０の設置位置に充電用差込み口１１を設置し、該充電器１０の片側に壁のコンセント４０に差し込む第一プラグ１２を設置する。
【００１５】
該懐中電灯２０の内部に一つの充電電池２１及び停電照明回路２２を設置し、該充電電池２１は停電照明回路２２と電気接続する。該懐中電灯２０は該充電器１０の充電差込み口１１に向けた一端に第二プラグ２３を設置し、該第二プラグ２３は該充電差込み口１１に差し込む。
【実施例】
【００１６】
該充電器１０の底面に一つの拡張ソケット３０を設ける。
【００１７】
該拡張ソケット３０の設置場所に一つのテストボタン３１を設ける。
【００１８】
該充電器１０はＵ字形の形状を成す。
【産業上の利用可能性】
【００１９】
図１から図７に示すように、上記の組合せ構造により、ユーザーが懐中電灯を充電する際、直接懐中電灯２０の第二プラグ２３を充電器１０の充電用差込み口１１に差し込んでから、図４及び図５に示すように、充電器１０の第一プラグを壁のコンセント４０に差し込むと、懐中電灯２０を充電することができ、簡単且つ実用的である。
【００２０】
ユーザーが懐中電灯２０を使用する際は、図６に示すように、直接懐中電灯２０を充電器１０から取り外すだけでよい。操作方法は簡単かつ、持ち歩くことができる。
【００２１】
また、本考案は他に拡張ソケット３０を設置し、普通のコンセントに使用することができる。図７に示すように、本考案の拡張ソケット３０に一つのテストボタン３１を設置しており、本考案の懐中電灯が正常に作動するのかをテストすることができる。ユーザーはそれにより、物品が常に良好な状態であるのかを判断することができ、実用的である。
【００２２】
更に、本考案の懐中電灯２０に充電電池２１を内蔵し、同時に停電照明回路２２を設け、充電電池と停電照明回路は電気接続する。懐中電灯は常時充電器１０に差込み、スタンバイ状態とし、停電した際、懐中電灯２０内部にある停電照明回路２２が開いて電流が流れ、懐中電灯２０が明かりを灯す。電力が回復すると、懐中電灯１０は再び充電状態に戻るため、安全で実用的である。
【符号の説明】
【００２３】
１０  充電器
１１  差込用コンセント
１２  第一プラグ
２０  懐中電灯
２１  充電電池
２２  停電照明回路
２３  第二プラグ
３０  拡張ソケット
３１  テストボタン
４０  コンセント
【図１】
0003169747.tif 000003
【図２】
0003169747.tif 000004
【図３】
0003169747.tif 000005
【図４】
0003169747.tif 000006
【図５】
0003169747.tif 000007
【図６】
0003169747.tif 000008
【図７】
0003169747.tif 000009
【手続補正書】
【提出日】平成23年6月13日(2011.6.13)
【手続補正１】
【補正対象書類名】実用新案登録請求の範囲
【補正対象項目名】全文
【補正方法】変更
【補正の内容】
【実用新案登録請求の範囲】
【請求項１】
充電器及び懐中電灯を含み、
該充電器の設置位置に充電用差込み口を設置し、該充電器の片側に壁のコンセントに差し込む第一プラグを設置し、
該懐中電灯の内部に一つの充電電池及び停電照明回路を設置し、該充電電池は停電照明回路と電気接続し、
該懐中電灯は該充電器の充電差込み口に向けた一端に第二プラグを設置し、該第二プラグは該充電差込み口に差し込むことを特徴とする懐中電灯の構造。
【請求項２】
前記充電器の底面に、コンセントプラグの形状に合致した拡張ソケットを設けることを特徴とする請求項１記載の懐中電灯の構造。
【請求項３】
前記拡張ソケットの設置場所において、第一プラグの設置方向とは別の方向に一つのテストボタンを設けることを特徴とする請求項２記載の懐中電灯の構造。
【請求項４】
前記充電器はＵ字形の形状を成すことを特徴とする請求項１記載の懐中電灯の構造。